(57)【要約】【課題】モジュール化水素発生装置を提供する。【解決手段】上蓋と、ボトルと、台座とを有し、前記上蓋及び前記台座の形状は前記ボトルに適合され、前記ボトルの上下両側にそれぞれ装設され、且つ前記ボトルには内部空間が内設され、前記内部空間は前記台座の頂部に更に連通される本体と、少なくとも１つの電解ユニット及び給電ユニットを有し、前記給電ユニットはこれら前記電解ユニットに電気的に接続され、これら前記電解ユニットの作動時に必要な電力が供給され、且つ前記電解ユニットは前記台座の頂部に設置され、前記給電ユニットは前記台座の内部に設置され、前記内部空間に入れられた水に対してはこれら前記電解ユニットにより電解反応が行われて水素及び酸素が発生する電解装置とを備える。【選択図】図１
2018044246.tif 000002
【特許請求の範囲】
【請求項１】
上蓋と、ボトルと、台座とを有し、前記上蓋及び前記台座は、前記ボトルの上下両側にそれぞれ装設され、且つ前記ボトルには内部空間が内設され、前記内部空間は前記台座の頂部に更に連通される本体と、
少なくとも１つの電解ユニット及び給電ユニットを有し、前記給電ユニットは前記電解ユニットに電気的に接続され、これら前記電解ユニットの作動時に必要な電力が供給され、且つ前記電解ユニットは前記台座の頂部に設置され、前記給電ユニットは前記台座の内部に設置される電解装置と、を備えることを特徴とする、
モジュール化水素発生装置。
【請求項２】
前記上蓋は第一蓋体及び第二蓋体を更に備え、前記第一蓋体及び前記第二蓋体はピボット部により枢結され、且つ前記第一蓋体及び前記第二蓋体には前記ピボット部の外縁箇所に対して係合部及び対応し合う係合部がそれぞれ設けられ、且つ前記係合部及び前記対応し合う係合部の係合により前記第一蓋体及び前記第二蓋体が相互に係合されて固定されることを特徴とする、請求項１に記載のモジュール化水素発生装置。
【請求項３】
前記第二蓋体は挿通口及び飲用部を更に備えることを特徴とする、請求項２に記載のモジュール化水素発生装置。
【請求項４】
前記第二蓋体には出口端及び内部管状体が設置され、且つ前記出口端は前記内部管状体に連通されることを特徴とする、請求項２に記載のモジュール化水素発生装置。
【請求項５】
前記出口端は外部管状体を介して付属部材に更に結合され、且つ前記付属部材は鼻腔チューブ、アイシェード或いはマスクであることを特徴とする、請求項４に記載のモジュール化水素発生装置。
【請求項６】
前記台座には前記給電ユニットに電気的に接続されるポンプが更に設置されることを特徴とする、請求項４または５に記載のモジュール化水素発生装置。
【請求項７】
前記ボトルは透明なボトルであることを特徴とする、請求項１乃至５の何れか１項に記載のモジュール化水素発生装置。
【請求項８】
前記台座の側面には電源スイッチが更に設置されることを特徴とする、請求項１乃至５の何れか１項に記載のモジュール化水素発生装置。
【請求項９】
前記台座の側面にはジャックが更に設置されることを特徴とする、請求項１乃至５の何れか１項に記載のモジュール化水素発生装置。
【請求項１０】
前記台座の上端には複数の間隙を有するタービン状蓋体が更に設置されることを特徴とする、請求項１乃至５の何れか１項に記載のモジュール化水素発生装置。
【請求項１１】
前記台座には前記給電ユニットに電気的に接続される無線充電モジュールが設置され、前記給電ユニットには前記無線充電モジュールにより無線充電が行われることを特徴とする、請求項１乃至５の何れか１項に記載のモジュール化水素発生装置。
【請求項１２】
前記台座には前記給電ユニットに電気的に接続される紫外線ランプが更に設置されることを特徴とする、請求項１乃至５の何れか１項に記載のモジュール化水素発生装置。
【発明の詳細な説明】
【技術分野】
【０００１】
本発明は、組み立て式で組み立てられて結合され、使用者が携帯して使用するのに便利な、水素を発生させるモジュール化水素発生装置に関する。
【背景技術】
【０００２】
現在多くの研究で指摘されているように、水素は医学及び保健分野に広く有効的に運用されている。人間が少量の水素を吸収すると、選択的に抗酸化作用が発生し、毒性を有する遊離基が中和されるため、糖尿病、器官の損傷、脳卒中、損傷の放射線治療、老年性痴呆症、脳梗塞、高血圧、癌等の様々な疾病の治療に使用される。
【発明の概要】
【発明が解決しようとする課題】
【０００３】
現在既に多様な水素水生成装置（例えば、水素機）が発展しているが、従来の水素機は装置本体が大きく、且つ固定式或いは卓上型が多いため、装設されて固定された後には自由に移動させることができなくなり、使用者は自宅や水素機が設置された場所でしか水素水を取得して飲用することができない。いつでもどこでも水素水を手に入れて飲用できるわけではないため、使用者にとっては非常に不便であった。また、従来の水素機は使用者が水素水を飲用して水素を吸収させる方式のみしかなく、使用者の水素の吸収方式が限られた。
【０００４】
そこで、本発明者は上記の欠点が改善可能と考え、鋭意検討を重ねた結果、合理的設計で上記の課題を効果的に改善する本発明の提案に到った。
【０００５】
本発明は、このような従来の問題に鑑みてなされたものである。
上記課題解決のため、本発明は、モジュール化水素発生装置を提供することを目的とする。本発明のモジュール化水素発生装置は、台座中に電解ユニットが設置され、且つ上蓋とは別々にボトルの上下両端に結合され、台座内部の電解ユニットによりボトルの内部空間に入れられる水に対して電解反応を発生させて水素及び酸素を発生させる。これにより、使用者にとって装設させて結合させるのが便利になるのみならず、携帯が便利になる効果をも有する。
【０００６】
さらに、本発明は、モジュール化水素発生装置を提供することを他の目的とする。本発明のモジュール化水素発生装置は、使用者が上蓋に設置された挿通口及び飲用部を通して水素水を直接飲用できる。或いは、上蓋に設置される出口端が外部管状体を介して付属部材に結合されることで、ボトル内部に発生した水素が前記外部管状体を通して前記付属部材の箇所まで送られ、使用者が異なる方式で水素を吸収できるようになる。
【課題を解決するための手段】
【０００７】
上述した課題を解決し、目的を達成するための本発明に係るモジュール化水素発生装置は、上蓋と、ボトルと、台座とを有し、前記上蓋及び前記台座の構成は前記ボトルに適合され、前記ボトルの上下両側にそれぞれ装設され、且つ前記ボトルには内部空間が内設され、前記内部空間は前記台座の頂部に更に連通される本体と、少なくとも１つの電解ユニット及び給電ユニットを有し、前記給電ユニットはこれら前記電解ユニットに電気的に接続され、これら前記電解ユニットの作動時に必要な電力が供給され、且つ前記電解ユニットは前記台座の頂部に設置され、前記給電ユニットは前記台座の内部に設置される電解装置とを備えることを特徴とする。
【０００８】
上述のモジュール化水素発生装置において、前記上蓋は第一蓋体及び第二蓋体を更に備え、前記第一蓋体及び前記第二蓋体はピボット部により枢結され、且つ前記第一蓋体及び前記第二蓋体には前記ピボット部の外縁箇所に対して係合部及び対応し合う係合部がそれぞれ設けられ、且つ前記係合部及び前記対応し合う係合部の係合により前記第一蓋体及び前記第二蓋体が相互に係合されて固定される。
【０００９】
本発明に係るモジュール化水素発生装置の好ましい実施態様において、前記第二蓋体は挿通口及び飲用部を更に備える。
【００１０】
本発明に係るモジュール化水素発生装置の好ましい実施態様において、前記第二蓋体には出口端及び内部管状体が設置され、且つ前記出口端は前記内部管状体に連通される。
【００１１】
本発明に係るモジュール化水素発生装置の好ましい実施態様において、前記出口端は外部管状体を介して付属部材に更に結合され、且つ前記付属部材は鼻腔チューブ、アイシェード或いはマスクである。
【００１２】
本発明に係るモジュール化水素発生装置の好ましい実施態様において、前記台座には前記給電ユニットに電気的に接続されるポンプが更に設置される。
【００１３】
本発明に係るモジュール化水素発生装置の好ましい実施態様において、前記ボトルは透明なボトルである。
【００１４】
本発明に係るモジュール化水素発生装置の好ましい実施態様において、前記台座の側面には電源スイッチが更に設置される。
【００１５】
本発明に係るモジュール化水素発生装置の好ましい実施態様において、前記台座の側面にはジャックが更に設置される。
【００１６】
本発明に係るモジュール化水素発生装置の好ましい実施態様において、前記台座の上端には複数の間隙を有するタービン状蓋体が更に設置される。
【００１７】
本発明に係るモジュール化水素発生装置の好ましい実施態様において、前記台座には前記給電ユニットに電気的に接続される無線充電モジュールが設置され、前記給電ユニットには前記無線充電モジュールにより無線充電が行われる。
【００１８】
本発明に係るモジュール化水素発生装置の好ましい実施態様において、前記台座には前記給電ユニットに電気的に接続される紫外線ランプが更に設置される。
【発明の効果】
【００１９】
上述したように、本発明によれば、空間の形態が革新的であるのみならず、従来の製品に上述の多くの効果を増加させる。
【図面の簡単な説明】
【００２０】
【図１】本発明のモジュール化水素発生装置を示す外観斜視図である。
【図２】本発明のモジュール化水素発生装置を示す第一展開図である。
【図３】本発明のモジュール化水素発生装置を示す第二展開図である。
【図４】本発明の第１実施形態に係るモジュール化水素発生装置を示す図である。
【図５】本発明の第２実施形態に係るモジュール化水素発生装置を示す図である。
【図６】本発明の第３実施形態に係るモジュール化水素発生装置を示す図である。
【図７】本発明の第４実施形態に係るモジュール化水素発生装置を示す図である。
【図８】本発明の第５実施形態に係るモジュール化水素発生装置を示す図である。
【発明を実施するための形態】
【００２１】
本発明における好適な実施の形態について、添付図面を参照して説明する。尚、以下に説明する実施の形態は、実用新案登録請求の範囲に記載された本発明の内容を限定するものではない。また、以下に説明される構成の全てが、本発明の必須要件であるとは限らない。
【実施例】
【００２２】
（第１実施形態）
本発明のモジュール化水素発生装置は、上蓋１１と、ボトル１２と、台座１３とを有し、前記上蓋１１及び前記台座１３の構成は前記ボトル１２に適合され、前記ボトル１２の上下両側にそれぞれ装設され、且つ前記ボトル１２には内部空間１２１が内設され、前記内部空間１２１は前記台座１３の頂部に更に連通される本体１０と、少なくとも１つの電解ユニット２１及び給電ユニット２２を有し、前記給電ユニット２２はこれら前記電解ユニット２１に電気的に接続され、これら前記電解ユニット２１の作動時に必要な電力が供給され、前記給電ユニット１２は一般的な電池或いは充電池であり、且つ前記電解ユニット２１は前記台座１３の頂部に設置され、前記給電ユニット２２は前記台座１３の内部に設置され、前記内部空間１２１に入れられる水に対して前記電解ユニット２１により電解反応が行われて水素及酸素が発生する電解装置２０とを備える（図１乃至図４参照）。
【００２３】
その中で、前記上蓋１１は第一蓋体１１１及び第二蓋体１１２を更に備え、前記第一蓋体１１１及び前記第二蓋体１１２はピボット部１１３により枢結され、且つ前記第一蓋体１１１及び前記第二蓋体１１２には前記ピボット部１１３の外縁箇所に対して係合部１１４及び対応し合う係合部１１５がそれぞれ設けられる。また、前記係合部１１４及び前記対応し合う係合部１１５の係合により前記第一蓋体１１１及び前記第二蓋体１１２が相互に係合されて固定される。
【００２４】
使用者が水素水を飲用する場合、本発明に係るモジュール化水素発生装置を起立させ、前記上蓋１１側を下に向け、前記台座１３側を上に向けて、水素水を前記第二蓋体１１２に設けられる挿通口１１８から流出させ、使用者は前記第二蓋体１１２に設けられる飲用部１１９に口をつけて水素水を飲用する。
或いは図３に示すように、前記第二蓋体１１２の頂面に出口端１１６が直接設けられ、前記第二蓋体１１２の底面には内部管状体１１７が設置され、且つ前記内部管状体１１７が前記出口端１１６に連通され、使用者が水素水を直接吸入しやすくなる。
【００２５】
また、前記台座は前記給電ユニット２２に電気的に接続される紫外線ランプを更に備え、前記紫外線（ＵＶ）がボトル１２内の水に照射され、消毒滅菌効果を更に達成させる。また、前記台座１３の上端にはタービン状蓋体１４が更に設置され、前記台座１３から発せられる紫外線量が減少する。尚、前記タービン状蓋体１４は複数の間隙を有し、前記ボトル１２内の水が前記台座１３に設置される電解ユニット２１に流される。前記台座１３の上端に設置されるタービン状蓋体１４の独特な造形が見易くなるように、前記ボトル１２は透明なボトルになる。
【００２６】
前記台座１３の側面には電源スイッチ１３１が設置され、前記給電ユニット２２のこれら前記電解ユニット２１に対する給電の有無が制御される。前記台座１３には前記電源スイッチ１３１の他側に対してジャック１３２が更に設置され、前記給電ユニット２２により充電が行われる。
【００２７】
なお、前記台座１３には無線充電モジュール（図示せず）が更に設置され、且つ前記無線充電モジュールは前記給電ユニット２２に電気的に接続され、前記給電ユニット２２は前記無線充電モジュールにより無線充電が行われる。
【００２８】
さらに、図５乃至図７に示すように、使用者が異なる多様な方式で水素を吸収できるようにするために（例えば、鼻から吸収する、目や顔に蒸気をかける等）、前記出口端１１６は外部管状体３０を介して付属部材に更に結合される。
前記付属部材は鼻腔チューブ４０、アイシェード５０、或いはマスク６０であり、且つ前記台座１３にはポンプ（図示せず）が更に設置され、前記ポンプは前記給電ユニット２２に電気的に接続され、電解により形成された水素は外部管状体３０を通して前記付属部材に輸送され、使用者は鼻腔チューブ４０を用いて水素を吸収できる。或いは、アイシェード５０やマスク６０等を使用して目や顔等の部位の皮膚から水素を吸収させる。若しくは、図８に示すように、使用者は顔を前記出口端１１６に近付け、前記出口端１１６から出る水素を鼻から直接吸収させる。更には、使用者は自身の需要に基づいて異なる外観（例えば、色や模様等）で異なる容量のボトル１２に異なる電量の給電ユニットを有する台座１３を組み合わせて結合させることで、使用者の需要に符合したモジュール化水素発生装置を達成させる。
【００２９】
上述のように、本発明はモジュール化水素発生装置を確実に提供する。即ち、台座中に電解ユニットが設置され、且つ上蓋とは別々にボトルの上下両端に結合され、台座内部の電解ユニットによりボトルの内部空間に入れられる水に対して電解反応が行われて水素及び酸素が発生する。使用者にとっては、装設させて結合させるのが便利になり、携帯しやすくなるという効果を有する。
更には、本発明はモジュール化水素発生装置を更に提供し、使用者が上蓋に設置される挿通口及び飲用部を通して水素水を直接飲用できるようになる。或いは、上蓋に設置される出口端は外部管状体を介して付属部材に結合され、ボトル内部に発生する水素が前記外部管状体を通して前記付属部材の箇所まで送られ、使用者が異なる方式で水素を吸収できるようになる。
【００３０】
本明細書に開示された実施形態は、本発明を限定するものではなく、説明するためのものであり、このような実施形態によって本発明の思想と範囲が限定されるものではない。本発明の範囲は請求の範囲により解釈すべきであり、それと同等の範囲内にある全ての技術は、本発明の権利範囲に含まれるものと解釈すべきである。
【符号の説明】
【００３１】
１０    本体
１１    上蓋
１１１  第一蓋体
１１２  第二蓋体
１１３  ピボット部
１１４  係合部
１１５  対応し合う係合部
１１６  出口端
１１７  管状体
１１８  挿通口
１１９  飲用部
１２    ボトル
１２１  内部空間
１３    台座
１３１  電源スイッチ
１３２  ジャック
１４    タービン状蓋体
２０    電解装置
２１    電解ユニット
２２    給電ユニット
３０    外部管状体
４０    鼻腔チューブ
５０    アイシェード
６０    マスク
【図１】
2018044246.tif 000003
【図２】
2018044246.tif 000004
【図３】
2018044246.tif 000005
【図４】
2018044246.tif 000006
【図５】
2018044246.tif 000007
【図６】
2018044246.tif 000008
【図７】
2018044246.tif 000009
【図８】
2018044246.tif 000010